(57)【要約】【課題】電子透かし埋め込み処理を行っても地図品質が低下しないようにすることができる電子透かし埋込装置を提供することを目的とする。【解決手段】地物と、地物に関し英字、数字、文字のいずれかで表記される属性とを含む地図データに対して電子透かしを埋め込む電子透かし埋込装置１であって、地図データを参照する地図データ参照手段１２と、属性を表記するに際し、意味が同一でかつ表記が異なる、複数用意された電子透かしパターンデータを参照する電子透かしパターンデータ参照手段１３と、地図データ参照手段１２および電子透かしパターンデータ参照手段１３を用いて、地図データに対して電子透かしを埋め込む電子透かし埋込手段１４と、を備えた。【選択図】  図１
2004302303.tif 000002
【特許請求の範囲】
【請求項１】
地物と、前記地物に関し英字、数字、文字のいずれかで表記される属性とを含む地図データに対して電子透かしを埋め込む電子透かし埋込装置であって、
前記地図データを参照する地図データ参照手段と、
前記属性を表記するに際し、意味が略同一でかつ表記が異なる電子透かしパターンデータを参照する電子透かしパターンデータ参照手段と、
前記地図データ参照手段および前記電子透かしパターンデータ参照手段を用いて、前記地図データに対して電子透かしを埋め込む電子透かし埋込手段と、
を備えたことを特徴とする電子透かし埋込装置。
【請求項２】
請求項１に記載の電子透かし埋込装置であって、
前記電子透かし埋込手段は、前記電子透かしを埋め込んだ地図データを識別するための識別情報を、該地図データと関連付けて記憶する識別情報記憶部を備えたことを特徴とする電子透かし埋込装置。
【請求項３】
請求項１または２に記載の電子透かし埋込装置であって、
前記地図データは、所定の領域に区分されており、
前記電子透かし埋込手段は、前記所定の領域ごとに、前記電子透かしを埋め込むことを特徴とする電子透かし埋込装置。
【請求項４】
請求項１乃至３のいずれかに記載の電子透かし埋込装置であって、
前記地図データは、所定のレイヤに区分されており、
前記電子透かし埋込手段は、前記所定のレイヤごとに、前記電子透かしを埋め込むことを特徴とする電子透かし埋込装置。
【請求項５】
請求項１乃至４のいずれかに記載の電子透かし埋込装置であって、
前記地図データは、所定の縮尺で表示可能とされており、
前記電子透かし埋込手段は、前記所定の縮尺ごとに、前記電子透かしを埋め込むことを特徴とする電子透かし埋込装置。
【請求項６】
請求項１乃至５のいずれかに記載の電子透かし埋込装置であって、
前記地図データは、所定の業種ごとに分類されており、
前記電子透かし埋込手段は、前記所定の業種ごとに、前記電子透かしを埋め込むことを特徴とする電子透かし埋込装置。
【請求項７】
コンピュータを用いて、地物と、前記地物に関し英字、数字、文字のいずれかで表記される属性を含む地図データに対して電子透かしを埋め込む電子透かし埋込方法であって、
前記地図データを参照する地図データ参照工程と、
前記属性を表記するに際し、意味が略同一でかつ表記が異なる電子透かしパターンデータを参照する電子透かしパターンデータ参照工程と、
前記地図データ参照工程および前記電子透かしパターンデータ参照工程を用いて、前記地図データに対して電子透かしを埋め込む電子透かし埋込工程と、
を備えたことを特徴とする電子透かし埋込方法。
【請求項８】
コンピュータを用いて、地物と、前記地物に関し英字、数字、文字のいずれかで表記される属性を含む地図データに対して電子透かしを埋め込む電子透かし埋め込みのためのコンピュータプログラムであって、
前記地図データを参照する地図データ参照機能と、
前記属性を表記するに際し、意味が略同一でかつ表記が異なる電子透かしパターンデータを参照する電子透かしパターンデータ参照機能と、
前記地図データ参照機能および前記電子透かしパターンデータ参照機能を用いて、前記地図データに対して電子透かしを埋め込む電子透かし埋込機能と、
をコンピュータにより実現するためのコンピュータプログラム。
【発明の詳細な説明】
【０００１】
【発明の属する技術分野】
本発明は、地物と前記地物に関し英字、数字、文字のいずれかで表記される属性を含む地図データに対して電子透かしを埋め込む電子透かし埋込装置、および、電子透かし埋込方法、ならびに、電子透かしを埋め込むためのコンピュータプログラムに関するものである。
【０００２】
【従来の技術】
従来、地図データに対し電子透かしを埋め込む方法としては、例えば（特許文献１）に記載されたものが知られている。この（特許文献１）では、電子透かしを埋め込む方法として、オリジナルの地図データに対し、地物を示す図形の位置をずらすとか、一つの地物を示す図形と他の地物を示す図形とを重ねることなど、ベクトルデータの座標や位相を変更する技術が記載されている。
【０００３】
【特許文献１】
特開２００２−２４８４４号公報
【０００４】
【発明が解決しようとする課題】
従来の地図データの電子透かしは、ベクトルデータの座標や位相を変更するため、地図としての正確性を損なうばかりでなく、第三者に容易に解析される虞があった。また、属性を示すプレーンテキストの不正複製に対しては、適用できなかった。
【０００５】
本発明は、上記問題に鑑み、地図としての品質を保ちつつ、第三者に容易に解析されない電子透かしを地図データに埋め込むための電子透かし埋込装置、および、電子透かし埋込方法、ならびに、コンピュータプログラムを提供することを目的とする。
【０００６】
【課題を解決するための手段】
上記課題の少なくとも一部を解決するために、請求項１は、地物と、前記地物に関し英字、数字、文字のいずれかで表記される属性とを含む地図データに対して電子透かしを埋め込む電子透かし埋込装置であって、前記地図データを参照する地図データ参照手段と、前記属性を表記するに際し、意味が略同一でかつ表記が異なる電子透かしパターンデータを参照する電子透かしパターンデータ参照手段と、前記地図データ参照手段および前記電子透かしパターンデータ参照手段を用いて、前記地図データに対して電子透かしを埋め込む電子透かし埋込手段と、を備える。
【０００７】
ここで、地物とは、建造物（家屋、店舗、ビルディング、バス停など）、道路（高速、国道、県道、一般道など）などの人工的に造られた人工物や、山、川、草、木などの自然物が相当する。また、属性とは、地物に関して地図情報として記録されるべき種々の情報が含まれる。例えば、地物が建造物である場合には、建造物の名称、住所（地番、戸番含む）、居住者（姓名または事業所名）、高さ（階数含む）などに関する情報が相当する。また、地物が道路である場合には、道路の名称、種別（高速、国道、県道、一般道）、道路幅、車線数、交差点名称に関する情報が相当する。
【０００８】
地図データ参照手段は、地図データを参照する。ここで、地図データとは、地物と、地物に関し英字、数字、文字のいずれかで表記される属性とを含むものであれば、用途に限定はなく、いわゆる住宅地図データ、市街地図データ、地形地図データ、地勢地図データ、道路地図データ（カーナビゲーション用地図を含む）、観光案内地図データその他であってもよい。また、データの形式（フォーマット）に限定はなく、ＤＸＦ形式その他であってもよい。さらに、地図データは、ディスプレイに表示される場合、拡大・縮小したり、移動・回転できれば、より好ましい。地図の表現方法は、二次元、三次元どちらでも構わない。その他、鳥瞰図であってもよい。
【０００９】
また、地図データは、本電子透かし埋込装置内一体に構成しても、別体に構成しても良い。別体に構成した場合には、両者をネットワークで接続した構成とすることが可能である。ネットワークは、典型的には、インターネットであるが、インターネットに限らず、ＬＡＮ（Ｌｏｃａｌ    Ａｒｅａ    Ｎｅｔｗｏｒｋ）や専用線によるネットワークなど、限定的なものであってもよい。ネットワークは、有線または無線により通信させる構成を採ることができる。
【００１０】
電子透かしパターンデータ参照手段は、電子透かしパターンデータを参照する。ここで、電子透かしパターンデータとは、属性を表記するに際し、意味が略同一でかつ表記が異なる電子透かしのパターンに関する情報である。たとえば、属性が英字で表される場合、「ＴＡＮＡＫＡ」と「Ｔａｎａｋａ」、「Ａビル」と「ａビル」のように大文字と小文字を置き換えたり、「ＴＡＮＡＫＡ」と「ＴＡＮＡＫＡ」、「Ａビル」と「Ａビル」のように全角と半角を置き換えることが相当する。また、属性が数字で表される場合、「１０」と「１０」のように全角と半角を置き換えたり、「４１」と「四十一」と「四一」のようにアラビア数字と漢数字とローマ数字を置き換えることが相当する。
【００１１】
また、属性が文字で表される場合には、「田中」と「たなか」と「タナカ」と「ＴＡＮＡＫＡ」のように、漢字と平仮名と片仮名と英字を互いに置き換えたり、「田中恭一」と「田中」のように、姓名のうち名を省略したり、「田中恭一」と「田中  恭一」のように、姓と名との間に空白（スペース）を挿入したり、「佐々木」と「佐佐木」のように、繰り返し文字を使用したものとしないものとを置き換えたりすることが相当する。また、「阿佐が谷」と「阿佐ヶ谷」、「一瀬」と「一ノ瀬」、「通り」と「通」のように、送り仮名を変更、追加、省略したり、「インターネット」と「インタネット」、「マシーン」と「マシン」のように、長音符を省略したりすることも含まれる。さらに、「ウイスキー」と「ウヰスキー」、「ラジオ」と「ラヂオ」のように、現日本語表記と旧外来語表記を互いに置き換えることも含まれる。その他、「駐車場」と「パーキング」と「Ｐ」を互いに置き換えること、「トイレ」と「御手洗」と「ＷＣ」を互いに置き換えることも含まれる。
【００１２】
なお、電子透かしパターンデータは、地図データと同様に、本電子透かし埋込装置内一体に構成しても、別体に構成してもよい。別体に構成した場合には、両者をネットワークで接続した構成とすることが可能である。ネットワークは、典型的には、インターネットであるが、インターネットに限らず、ＬＡＮ（Ｌｏｃａｌ    Ａｒｅａ    Ｎｅｔｗｏｒｋ）や専用線によるネットワークなど、限定的なものであってもよい。ネットワークは、有線または無線により通信させる構成を採ることができる。
【００１３】
電子透かし埋込手段は、地図データ参照手段および電子透かしパターンデータ参照手段を用いて、地図データに対して電子透かしを埋め込む。
【００１４】
電子透かしを埋め込みは、英字、数字、文字などで表される属性に対して行なわれ、例えば、地物が建造物である場合には、建造物の名称、住所（地番、戸番含む）、居住者（姓名または事業所名）、高さ（階数含む）などに関する情報に対してであり、また、地物が道路である場合には、道路の名称、種別（国道、県道、一般道）、道路幅、車線数、交差点名称に対してである。埋め込み数は、単数であってもいいし、複数であってもよい。複数である場合、たとえば、複数箇所の建造物の名称を対象とする方法や、建造物の名称、居住者名、道路の名称を一つを対象とする方法、それら両者を組み合わせる方法などを採用することができる。埋め込み数が複数である場合、第三者に容易に解析されないというメリットがある。
【００１５】
また、電子透かしを埋め込みは、上記属性のうち、通常表示されるものに対してであってもよいし、通常表示されずに特殊な操作をした場合に表示されるものに対してであっても、どちらでも構わない。後者の例としては、たとえば、地図データが住宅地図データの場合、いわゆる別記（建物がマンションのように多層階である場合は、居住者の一覧などを別ウィンドウで表示）といわれる情報が相当し、この場合、第三者に容易に解析されないというメリットがある。
【００１６】
請求項１の発明によれば、地図としての品質を保ちつつ、第三者に容易に解析されない電子透かしを地図データに埋め込むための電子透かし埋込装置を提供することができる。
【００１７】
なお、電子透かしが埋め込まれた地図データの提供方法は、フレキシブルディスクやＣＤ−ＲＯＭ、ＤＶＤなどの記録媒体に記録して行なってもよいし、記録媒体を介することなく、インターネットなどのネットワークを介して配信するようにしてもよい。後者の場合、電子透かしの埋め込み方法として、利用者から地図配信の要求があったとき、配信する地図データに対し動的に電子透かしを埋め込む構成を採用することができる。
【００１８】
請求項２に記載の電子透かし埋込装置は、請求項１に記載の電子透かし埋込装置において、電子透かし埋込手段は、前記電子透かしを埋め込んだ地図データを識別するための識別情報を、該地図データと関連付けて記憶する識別情報記憶部を備えることとしたものである。
【００１９】
ここで、識別情報とは、電子透かしを埋め込んだ個々の地図データを特定するための情報である。したがって、たとえば、地図データが記録媒体に記録して提供される場合、識別情報はその記録媒体に記録された地図データの単位で付与されることになる。また、地図データがネットワークを介して提供される場合、その配信する地図データの単位で付与されることになる。後者の場合、地図データを配信する際に利用者が判明しているので、利用者に応じて識別情報を決定する構成を採用することができる。この場合、識別情報から利用者を容易に特定することができる。
【００２０】
請求項２の発明によれば、電子透かしを埋め込んだ地図データと識別情報とを対応づけることができる。そのため、地図データが不正に複製された場合、この識別情報に基づいて、地図データの不正複製元を容易に突き止めることができる。
【００２１】
請求項３に記載の電子透かし埋込装置は、請求項１または２に記載の電子透かし埋込装置であって、前記地図データは、所定の領域に区分されており、前記電子透かし埋込手段は、前記所定の領域にごとに、前記電子透かしを埋め込むことを特徴とする。
【００２２】
ここで、所定の領域に区分するとは、例えば、行政界（市、区、町、村など）、電話局番（市外局番など）、郵便番号（上３桁など）、商業圏、メッシュ（地図の一次メッシュ、二次メッシュなど）など、商取引上の一般的な流通単位に従って区分することが相当し、所定の領域ごとに電子透かしを埋め込むとは、上記に従って区分された領域ごとに電子透かしを埋め込むことをいう。
【００２３】
請求項３に記載の発明によれば、所定の領域ごとに電子透かしが埋め込まれているので、一部の地域の地図データのみが不正複製された場合でも、不正複製を防止することができる。
【００２４】
なお、電子透かしを埋め込む領域は、単数であってもいいし、複数であってもよい。複数である場合、第三者に容易に解析されないというメリットがある。
【００２５】
請求項４に記載の電子透かし埋込装置は、請求項１乃至３のいずれかに記載の電子透かし埋込装置であって、前記地図データは、所定のレイヤに区分されており、前記電子透かし埋込手段は、前記所定のレイヤごとに、前記電子透かしを埋め込むことを特徴とする。
【００２６】
ここで、所定のレイヤに区分するとは、例えば、居住者名称、一般建物名称、目標物名称、交差点名称、パス停名称、地番・戸番名称、その他の文字列、記号、行政界、道路、建物、地形図別にレイヤを区分することが相当し、所定のレイヤごとに電子透かしを埋め込むとは、上記に従って区分されたレイヤごとに電子透かしを埋め込むことをいう。
【００２７】
たとえば、居住者名称レイヤの場合、「田中」と「たなか」と「タナカ」と「ＴＡＮＡＫＡ」、一般建物名称レイヤの場合、「Ａビル」と「ａビル」、目標物名称レイヤの場合、「ロッテリア」と「ロツテリア」（登録商標）、交差点名称レイヤの場合、「○○高校前・△１丁目」と「△１丁目・○○高校前」、バス停名称レイヤの場合、「競馬場前・北九州大学前」と「北九州大学前・競馬場前」をそれぞれ置き換えることが相当する。
【００２８】
請求項４に記載の発明によれば、レイヤ単位で電子透かしが埋め込まれているので、一部のレイヤの地図データのみが不正複製された場合であっても、不正複製を防止することができる。
【００２９】
なお、電子透かしを埋め込むレイヤは、単数であってもいいし、複数であってもよい。複数である場合、第三者に容易に解析されないというメリットがある。
【００３０】
請求項５に記載の電子透かし埋込装置は、前記地図データは、所定の縮尺で表示可能とされており、前記電子透かし埋込手段は、前記所定の縮尺ごとに、前記電子透かしを埋め込むことを特徴とする。
【００３１】
ここで、所定の縮尺とは、例えば、「１／５００〜１／３０００」、「１／３０００〜１／１万」、「１／１万〜１／５万」、「１／５万〜１／２０万」という４個の縮尺範囲が相当し、所定の縮尺ごとに電子透かしを埋め込むとは、上記４個の縮尺範囲の地図を縮尺変更自在に表示するために対応づけられた４個の地図データベースごとに、電子透かしを埋め込むことをいう。
【００３２】
４個の地図データベースは、たとえば、「１／５００〜１／３０００」には建物の形状や名称、道路等が示された住宅地図、「１／３０００〜１／１万」には建物の形状は示されているが主要な名称や道路だけが示された市街地図、「１／１万〜１／５万」には建物の形状は示されず、道路や主要な施設の記号が示された１／２．５万地形地図、「１／５万〜１／２０万」には地図、地勢地図とは道路や主要な施設の記号が示された１／２０万地勢地図が相当する。
【００３３】
請求項５に記載の発明によれば、所定の縮尺の単位で、電子透かしが埋め込まれているので、一部の縮尺の地図データのみが不正複製された場合であっても、一定の効力を発揮する。
【００３４】
なお、電子透かしを埋め込む縮尺は、単数であってもいいし、複数であってもよい。複数である場合、第三者に容易に解析されないというメリットがある。
【００３５】
請求項６に記載の電子透かし埋込装置は、請求項１乃至５のいずれかに記載の電子透かし埋込装置であって、前記地図データは、所定の業種ごとに分類されており、前記電子透かし埋込手段は、前記所定の業種ごとに、前記電子透かしを埋め込むことを特徴とする。
【００３６】
ここで、所定の業種とは、例えば、交通機関（鉄道、地下鉄、航空など）、飲食店（ファーストフード、ファミリーレストランなど）、宿泊施設（大規模ホテル、ビジネスホテル、民宿、ペンションなど）、娯楽施設（遊園地、ボウリング場、映画館など）、福祉施設、病院、警察署、商業ビルなどが相当し、所定の業種ごとに電子透かしを埋め込むとは、上記に従って分類された業種ごとに電子透かしを埋め込むことをいう。
【００３７】
請求項６に記載の発明によれば、所定の業種の単位で隈なく電子透かしが埋め込まれているので、一部の業種の地図データのみが不正複製された場合であっても、不正複製を防止することができる。
【００３８】
なお、電子透かしを埋め込む業種は、単数であってもいいし、複数であってもよい。複数である場合、第三者に容易に解析されないというメリットがある。
【００３９】
請求項７は、コンピュータを用いて、地物と、前記地物に関し英字、数字、文字のいずれかで表記される属性を含む地図データに対して電子透かしを埋め込む電子透かし埋込方法であって、前記地図データを参照する地図データ参照工程と、前記属性を表記するに際し、意味が略同一でかつ表記が異なる電子透かしパターンデータを参照する電子透かしパターンデータ参照工程と、前記地図データ参照工程および前記電子透かしパターンデータ参照工程を用いて、前記地図データに対して電子透かしを埋め込む電子透かし埋込工程と、を備える。
【００４０】
請求項８は、コンピュータを用いて、地物と、前記地物に関し英字、数字、文字のいずれかで表記される属性を含む地図データに対して電子透かしを埋め込む電子透かし埋め込みのためのコンピュータプログラムであって、前記地図データを参照する地図データ参照機能と、前記属性を表記するに際し、意味が略同一でかつ表記が異なる電子透かしパターンデータを参照する電子透かしパターンデータ参照機能と、前記地図データ参照機能および前記電子透かしパターンデータ参照機能を用いて、前記地図データに対して電子透かしを埋め込む電子透かし埋込機能と、をコンピュータにより実現するためのコンピュータプログラムである。
【００４１】
なお、本発明は上述した態様のみならず、種々の態様で構成することができる。例えば、コンピュータプログラムを記録した記録媒体として構成してもよい。ここで記録媒体とは、フレキシブルディスクやＣＤ−ＲＯＭ、ＤＶＤ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および、外部記憶装置等のコンピュータが読み取り可能な種々の媒体を利用することができる。
【００４２】
また、本発明は電子透かし埋込装置、方法、プログラムおよび記録媒体のみならず、埋め込んだ電子透かしを抽出する装置、方法、プログラムおよび記録媒体として構成することもできる。たとえば、電子透かし抽出装置として構成する場合、地物と、前記地物に関し英字、数字、文字のいずれかで表記される属性とを含み、電子透かしが埋め込まれた地図データから該電子透かしを抽出する電子透かし抽出装置であって、前記地図データを参照する地図データ参照手段と、前記属性を表記するに際し、意味が略同一でかつ表記が異なる電子透かしパターンデータを参照する電子透かしパターンデータ参照手段と、前記地図データ参照手段および前記電子透かしパターンデータ参照手段を用いて、前記地図データから電子透かしを抽出する電子透かし抽出手段と、を備える構成を採用することができる。
【００４３】
こうすることにより、地図データが不正に複製された場合、容易にその事実を発見することができる。
【００４４】
【発明の実施の形態】
以下、本発明の実施の形態について、図１〜図１６を用いて説明する。
（実施の形態１）
図１は、本発明の実施の形態１による電子透かし埋込装置を有するネットワークシステムを示すブロック図である。
【００４５】
図１において、１は電子透かし埋込装置としてのＣＰＵ（中央処理装置）、２は英字、数字、文字等を入力するための入力装置、３は画像や文字を表示する表示装置、４はデータを記憶するＲＡＭ、５はデータやプログラム等を記憶するＲＯＭ、６はハードディスク、６１は地図データを格納する地図データベース、６２は電子透かしパターンデータを格納する電子透かしパターンデータベース、６３は管理データを格納する管理データベース、７は構成要素１〜６から成る地図サーバ、８は地図サーバ７と利用者のパソコン９との間で通信を行うためのインターネット等のネットワークである。
【００４６】
また、１１は地図要求の有無を判定する地図要求受付手段、１２は地図データベース６１に格納された地図データを参照する地図データ参照手段、１３は電子透かしパターンデータベース６２に格納された電子透かしパターンデータを参照する電子透かしパターンデータ参照手段、１４は電子透かしパターンデータを地図データに埋め込む電子透かし埋込手段、１５は地図データを配信する地図配信手段である。
【００４７】
このように構成された電子透かし埋込装置（ＣＰＵ）１について、その動作を図２を用いて説明する。図２は、図１の電子透かし埋込装置１の動作を示すフローチャートである。
【００４８】
図２において、まず、地図要求受付手段１１は地図要求の有無を判定する（ステップＳ１）。地図要求は、利用者のパソコン９が電子透かし埋込装置１に対し、利用者の欲する領域データ（例えば戸畑区中原新町を示す領域データ）や利用者ＩＤ番号を送信することにより行う。ステップＳ１で地図要求有りと判定した場合は、次に地図データ参照手段１２は、上記領域データに基づいて選択された地図データを地図データベース６１から読み出す（ステップＳ２、地図データ参照工程）。次に、電子透かしパターンデータ参照手段１３は、地図データ参照手段１２における地図データの参照の終了後、電子透かしパターンデータベース６２に格納された電子透かしパターンデータのいずれかを選択して読み出す（ステップＳ３、電子透かしパターンデータ参照工程）。次に、電子透かし埋込手段１４は、電子透かしパターン参照手段１３にて選択して読み出した電子透かしパターンデータと利用者ＩＤに基づいて、地図データ参照手段１２から読み出した地図データに電子透かしを埋め込む（ステップＳ４、電子透かし埋込工程）。すなわち、地図データ参照手段１２と電子透かしパターンデータ参照手段１３を用いて電子透かしが埋め込まれた地図データを作成する。次に、地図配信手段１５は、電子透かし埋め込みがなされた地図データを利用者のパソコン９に配信する（ステップＳ５）。
【００４９】
次に、電子透かしの埋め込みの具体例について図３〜図７を用いて説明する。図３は地図データのデータ構造を説明するための説明図、図４は電子透かしパターンデータのデータ構造を説明するための説明図、図５は電子透かしの埋め込みがなされた地図データのデータ構造を説明する説明図、図６は電子透かしが埋め込まれた地図データを識別するための識別情報を、該地図データと関連付けて記憶した識別情報のデータ構造を説明する説明図、図７（ａ）は電子透かしを埋め込まれる前のオリジナルの地図データを、表示装置３において表示した状態を示す状態図であり、図７（ｂ）は電子透かしを埋め込んだ後の地図データを、表示装置３もしくは利用者のパソコン９において表示した状態を示す状態図である。
【００５０】
図３において、地物集合ＩＤは例えば種々の建物の集合であり、地物ＩＤは例えばそれぞれの個別の建物であり、中心点は上記領域データで指定した領域の座標中心点である。タイプは表示タイプであり、ここでは図形である。領域は図３に示すように１丁目、・・・、１０丁目の領域であり、属性はここでは「田中」や「鈴木」といった地物の属性を表す苗字である。
【００５１】
地図要求が利用者のパソコン９からなされたとき、利用者のＩＤを取得するとともに、電子透かしパターンデータ参照手段１３は或る電子透かしパターンを選択する。ここでは、利用者ＩＤとして２０１、電子透かしパターンデータＩＤとして１が選択されたので、電子透かしが埋め込まれる地物は、地物集合ＩＤ＝２０、１２０、２２０・・・、に含まれる地物ＩＤ＝１、電子透かしパターンは、これらの地物の属性を、「漢字」から「ひらがな」に変換することとなる。
【００５２】
図５に示すように、地物集合ＩＤ＝２０、地物ＩＤ＝１の属性が、「田中」から「たなか」に変換されている。また、識別情報記憶部６３には、図６に示すように、地物ＩＤ、地物集合ＩＤ、電子透かしパターンデータＩＤ、利用者ＩＤ番号が対応付けて記憶される。ここでは、地物ＩＤ＝１、地物集合ＩＤ＝２０、１２０、２２０・・・、電子透かしパターンＩＤ＝１、利用者ＩＤ番号＝２０１となっている。このように電子透かしが埋め込まれた地図データは、利用者のパソコン９へ送信される。図７（ｂ）は、利用者のパソコン９へ送信された地図データが、パソコン９に表示された状態を示し、地物ＩＤ＝１の属性が、「田中」から「たなか」に変換されている。なお、図７（ｂ）では省略しているが、地物集合ＩＤ＝１２０、２２０・・・、の地物ＩＤ＝１の属性も同様に「漢字」から「ひらがな」に変換されている。
【００５３】
このように属性において「漢字」を「ひらがな」にするのは電子透かし埋込方法の１方法であるが、その他の方法としては、図８〜図１３および（表１）に示す方法がある。図８は（ａ）、（ｂ）は（表１）の省略の分類欄にある電子透かし埋込方法の一つを示す説明図、図９（ａ）、（ｂ）は（表１）の表記揺れの分類欄にある電子透かし埋込方法の一つを示す説明図、図１０（ａ）、（ｂ）は（表１）の捏造の分類欄にある電子透かし埋込方法を示す説明図、図１１、図１３は種々のレイヤにおける電子透かし埋込方法を示す説明図である。図１２に、各レイヤＬ１〜Ｌ６を組み合わせを示す
【００５４】
【表１】
2004302303.tif 000003
【００５５】
図８は姓名の表札の一部を姓だけにした場合を示し、図９は姓名を分離して空白を挿入する場合を示す。図１０（ａ）、（ｂ）は階を捏造する場合を示し、図１０（ａ）の現実には１０階であるものに対して、図１０（ｂ）に示すように、Ａ棟の階を１１階というように捏造している。
【００５６】
図１１は居住者名称レイヤＬ１、一般建物名称レイヤＬ２、目標物名称レイヤＬ３、交差点名称レイヤＬ４、バス停名称レイヤＬ５、地番・戸番名称レイヤＬ６を示す。居住者名称レイヤＬ１における電子透かし埋込方法は図８〜図１０や（表１）に示した方法であり、一般建物名称レイヤＬ２における電子透かし埋込方法は例えばＡビルの名称をａビルというように変更する方法（（表１）の分類のビル・アパートに示す方法）、目標物名称レイヤＬ３における電子透かし埋込方法は例えば「ロッテリア（登録商標）」を「ロツテリア」というように表記変更する方法（（表１）の分類の表記揺れに示す方法）、交差点名称レイヤＬ４における電子透かし埋込方法は、例えば「○○高校前・△１丁目」を「△１丁目・○○高校前」というように表記順を入れ替える方法、バス停名称レイヤＬ５における電子透かし埋込方法は、例えば「競馬場前・北九州大学前」を「北九州大学前・競馬場前」というように表記順を入れ替える方法、地番・戸番名称レイヤＬ６における電子透かし埋込方法は、例えば「地番」・「戸番」を削除（地番・戸番程度の削除は、居住者名が判別できる程度の削除である）する方法である。
【００５７】
（表１）には、上記以外に、表記揺れに示す方法として、「駐車場」を「パーキング」や「Ｐ」と表示する方法、テクノセンタービルの「ビル」を「ビルディング」、「ビルヂング」と表示する方法、「漢字」を「カタカナ」に変更する方法などがある。
【００５８】
（表１）の分類のレイヤ変更に示す方法ついて、図１３を用いて説明する。図１３はレイヤ変更を説明するための説明図である。図１３には、レイヤＬ１〜Ｌ５が示されている。レイヤ変更とは、レイヤＬ４とＬ５との間やレイヤＬ３とＬ４との間に示すような変更であり、レイヤＬ４にはレイヤＬ５のソーコという文字列が加えられており、またレイヤＬ３にはレイヤＬ４のＡビルという文字列が加えられている。このようにすることにより、地図表示においてレイヤＬ１からＬ４を使用する場合に、本来は表示されないソーコの文字列が表示されることになり、第三者による不正複製であることが直ぐに分かることになる。
【００５９】
以上のように本実施の形態によれば、地図データを参照する地図データ参照手段１２と、属性を表記するに際し、意味が略同一でかつ表記が異なる電子透かしパターンデータを参照する電子透かしパターンデータ参照手段１３と、地図データ参照手段１２および電子透かしパターンデータ参照手段１３を用いて、地図データに対して電子透かしを埋め込む電子透かし埋込手段１４と、を備えたことにより、特定属性の地図（特定地図）において、意味が略同一でかつ表記が異なる電子透かしパターンデータを埋め込むことができるので、第三者が地図データを不正複製した場合、容易にその事実を発見することができる。
【００６０】
また、電子透かし埋込手段１４は、電子透かしを埋め込んだ地図データを識別するための識別情報を関連付けて記憶する識別情報記憶部６３を備えたことにより、属性と用いた電子透かしパターンデータとを対応づけることができるので、どの属性にはどの電子透かしパターンが用いられているかを容易に判別することができる。そのため、地図データが不正に複製された場合、この識別情報に基づいて、地図データの不正複製元を容易に突き止めることができる。
【００６１】
ここで、識別情報は、地物集合ＩＤに対して埋め込み可能な電子透かしパターンがＫ種類あったとして、透かし無しを含めてｌｏｇ２（ｋ＋１）ビットの透かし情報に該当する。たとえば、利用者の総数が１００である場合、利用者ＩＤ＝５０に対して、地物集合ＩＤ＝２０に含まれる地物のうち、地物ＩＤの下２桁が利用者ＩＤと一致するもの全てに透かしＩＤを適用することにより、透かし情報のビット数を増やして堅牢性をあげることができる。さらに、地物ＩＤ＋１０を一致するもの全てに透かしＩＤ＝２を適用するなど、複数種類の透かしを組合せて用いてもよい。透かしの一部が市販の電話帳データなどに基づいて消去されたとしても、透かしを組み込んでいない地物郡に対して、透かしを組み込んだ地物郡における透かしの痕跡が明らかに強く認められれば、流出経路の特定や盗用の立証が可能となる。
【００６２】
（実施の形態２）
実施の形態１ではユーザが電子透かし埋込処理を指定したエリア毎に動的に（その都度）行う電子透かし埋込装置や電子透かし埋込方法について説明したが、静的に指定エリア毎たとえば行政地区ごとに行うこともできる。このことを以下に説明する。
【００６３】
図１４は、本発明の実施の形態２による電子透かし埋込装置を示すコンピュータ装置を示すブロック図である。図１４において、入力装置２、表示装置３、ＲＡＭ４、ＲＯＭ５、ハードディスク６、地図データベース６１、電子透かしパターンデータベース６２、管理データベース６３は図１と同様のものなので、略同一符号を付し、説明は省略する。１Ａは本実施の形態による電子透かし埋込装置としてのＣＰＵ（中央処理装置）である。
【００６４】
図１４の電子透かし埋込装置１Ａは、図１と同様の地図データ参照手段１２と電子透かしパターンデータ参照手段１３と電子透かし埋込手段１４とを有すると共に、処理対象となる地図領域（ここでは行政地区）を指定する地図指定手段１６と電子透かし埋込手段１４により作成された地図データをＣＤ−ＲＯＭに格納するＲＯＭ作成手段１７とを有する。
【００６５】
このように構成された電子透かし埋込装置（ＣＰＵ）１Ａについて、その動作を図１４および図１５を用いて説明する。図１５は、図１４の電子透かし埋込装置１Ａの動作を示すフローチャートである。
【００６６】
図１５において、地図指定手段１６は、処理対象となる地図領域としての行政地区（例えば戸畑区中原新町）が指定されたか否かを判定する（ステップＳ１１）。ステップＳ１１で行政地区が指定されたと判定した場合は次に地図データ参照手段１２は、上記行政地区に基づいて選択された地図データを地図データベース６１から読み出す（ステップＳ１２、地図データ参照工程）。次に、電子透かしパターン参照手段１３は、地図データ参照手段１２における参照の終了後、電子透かしパターンデータベース６２に格納された電子透かしパターンデータのいずれかを選択して読み出す（ステップＳ１３、電子透かしパターン参照工程）。次に、電子透かし埋込手段１４は、電子透かしパターン参照手段１３からの電子透かしパターンデータを地図データ参照手段１２からの地図データに埋め込む（ステップＳ１４、電子透かし埋込工程）。すなわち、地図データ参照手段１２と電子透かしパターン参照手段１３を用いて電子透かしが埋め込まれた地図データを作成する。次に、ＲＯＭ作成手段１７は、電子透かし埋め込みがなされた地図データを任意のＣＤ−ＲＯＭに格納する（ステップＳ１５）。
【００６７】
図１６は、一般的なパソコン９を示す構成図である。パソコン９は、表示装置３とＣＤ−ＲＯＭを駆動するディスクドライブ１０とを有する。図１６において、ステップＳ１５で地図データが格納されたＣＤ−ＲＯＭをディスクドライブ１０に装着して行政地区を指定する、例えば戸畑区中原新町１丁目というように指定することにより、その指定した行政地区が表示装置３に表示される。例えば図７に示すように苗字が「たなか」とひらがな表示された戸畑区中原新町１丁目の地図が表示される。
【００６８】
以上のように本実施の形態によれば、電子透かしパターンデータが埋め込まれた地図データをＣＤ−ＲＯＭに格納するようにしたので、パソコン等のコンピュータを用いて任意の場所で任意の時間に所望の地図（上記例では戸畑区中原新町１丁目の地図）を表示させることができる。
【図面の簡単な説明】
【図１】本発明の実施の形態１による電子透かし埋込装置を有するネットワークシステムを示すブロック図
【図２】図１の電子透かし埋込装置の動作を示すフローチャート
【図３】地図データの例を示すデータ図
【図４】電子透かしパターンデータにおける電子透かしパターンＩＤとその内容を示すデータ図
【図５】電子透かし埋め込みがなされた地図データを示すデータ図
【図６】識別情報記憶部としての管理データベースに記憶される識別情報を示すデータ図
【図７】（ａ）電子透かしを埋め込む前の地図データが、表示装置３に表示された状態を示す第１の例
（ｂ）利用者のパソコン９へ送信された地図データが、パソコン９に表示された状態を示す第１の例
【図８】（ａ）電子透かしを埋め込む前の地図データが、表示装置３に表示された状態を示す第２の例
（ｂ）利用者のパソコン９へ送信された地図データが、パソコン９に表示された状態を示す第２の例
【図９】（ａ）電子透かしを埋め込む前の地図データが、表示装置３に表示された状態を示す第３の例
（ｂ）利用者のパソコン９へ送信された地図データが、パソコン９に表示された状態を示す第３の例
【図１０】（ａ）電子透かしを埋め込む前の地図データが、表示装置３に表示された状態を示す第４の例
（ｂ）利用者のパソコン９へ送信された地図データが、パソコン９に表示された状態を示す第４の例
【図１１】種々のレイヤにおける電子透かし埋込方法を示す説明図
【図１２】種々のレイヤにおける電子透かし埋込方法を示す説明図
【図１３】レイヤ変更を説明するための説明図
【図１４】本発明の実施の形態２による電子透かし埋込装置を有するコンピュータ装置を示すブロック図
【図１５】図１４の電子透かし埋込装置の動作を示すフローチャート
【図１６】一般的なパソコンを示す構成図
【符号の説明】
１、１Ａ  ＣＰＵ（中央処理装置、電子透かし埋込装置）
２  入力装置
３  表示装置
４  ＲＡＭ
５  ＲＯＭ
６  ハードディスク６
７  地図サーバ
８  ネットワーク
９  パソコン
１１  地図要求受付手段
１２  地図データ参照手段
１３  電子透かしパターン参照手段
１４  電子透かし埋込手段
１５  地図配信手段
１６  地図指定手段
１７  ＲＯＭ作成手段
６１  地図データベース
６２  電子透かしパターンデータベース
６３  管理データベース
【図１】
2004302303.tif 000004
【図２】
2004302303.tif 000005
【図３】
2004302303.tif 000006
【図４】
2004302303.tif 000007
【図５】
2004302303.tif 000008
【図６】
2004302303.tif 000009
【図７】
2004302303.tif 000010
【図８】
2004302303.tif 000011
【図９】
2004302303.tif 000012
【図１０】
2004302303.tif 000013
【図１１】
2004302303.tif 000014
【図１２】
2004302303.tif 000015
【図１３】
2004302303.tif 000016
【図１４】
2004302303.tif 000017
【図１５】
2004302303.tif 000018
【図１６】
2004302303.tif 000019